(57)【要約】【課題】    彎曲状等の様々な形状の収納体のリッドに応用でき、かつ、その組み立て作業が容易にできる収納体のリッドのロック装置を提供すること。【解決手段】    凹所1を有する支持体Pにリッド5を開閉可能に取付け、該リッド3裏側に左右一対のピン（係止部材）11、11’を移動可能に設け、この各係止ピン（ 係止部材）11、11’が支持体P側に形成された係止孔23、23’方向に付勢されたリッドのロック装置であって、この係止ピンにワイヤ17、17’を接続し、このワイヤ17、17’を引っ張る回動手段20を設けた。  【選択図】図2
2005188086.tif 000002
【特許請求の範囲】
【請求項１】
凹所を有する支持体に、前記凹所を開閉するようにリッドを取付け、該リッドに左右一対の係止部材を移動可能に設け、
前記左右一対の各係止部材を前記支持体側に形成された係止孔に出入可能に構成したリッドのロック装置において、
前記一対の係止部材に線状体部材を接続し、前記線状体部材を引っ張る回動手段を設けたことを特徴とするリッドのロック装置。
【請求項２】
前記線状体部材は前記線状体部材を保護してガイドするチューブの中に挿入されていることを特徴とする請求項1記載のリッドのロック装置。
【請求項３】
前記線状体部材の過度の必要以上の引っ張りと前記係止部材の出入を規制するストッパを設けたことを特徴とする請求項1記載の収納体のサイドロック装置。
【請求項４】
前記リッドは椀曲状に形成されていることを特徴とする請求項1記載リッドのロック装置。
【請求項５】
前記回動手段は前記操作ノブと、前記操作ノブに一体に連動する円盤台とを有することを特徴とする請求項1記載のリッドのロック装置
【請求項６】
前記線状体部材は、可撓性金属製のワイヤから成ることを特徴する請求項1記載のリッドのロック装置。
【請求項７】
保持部材が、前記リッドに固定され、前記保持部材は前記係止部材を安定して移動可能に保持することを特徴とする請求項1記載のリッドロック装置。
【発明の詳細な説明】
【技術分野】
【０００１】
本発明は、自動車等の支持体であるインストルメントパネルに形成された凹所に装着されるグローブボックスのような収納体を開閉するリッドのロック装置に関する。
【背景技術】
【０００２】
従来から、このようなリッドのロック装置として、特許文献1に示されたものがある。該従来のリッドのロック装置は、具体的に図示しないが、操作ハンドルから得られる回転力を連結バーを介して左右の各ラッチに伝達して、これら左右のラッチの先端部を支持体側のロック孔から後退させるように構成されている。
【特許文献１】特開2003-13655号公報  （2頁、図1）
【発明の開示】
【発明が解決しようとする課題】
【０００３】
しかしながら、上記のような従来のリッドのロック装置にあっては、連結バー7(連結部材)が剛性を保つ金属線材から成る構造となっている。そのため、例えば収納体の前面であるリッドの彎曲形状等の場合は、この連結バーがスムーズに回転できず、組み立て作業が煩雑となり、様々な形状のリッド装置等に対応できないという虞があった。
【０００４】
そこで、本発明の目的は、上記のような事情に鑑みてなされたもので、従来のロッドである連結バーの代わりに、可撓性線状体部材を用い、この線状体部材を引っ張る回動手段を設けたことで収納体の構成を簡単にし、様々な形状の収納体に応用でき、かつ、その組み立て作業が容易にできるリッドのロック装置を提供することにある。
【課題を解決するための手段】
【０００５】
上記課題を解決するために、請求項1に記載のリッドのロック装置は、凹所を有する支
持体に、前記凹所を開閉するようにリッドを取付け、該リッドに左右一対の係止部材を移動可能に設け、前記左右一対の各係止部材を前記支持体側に形成された係止孔に出入可能に構成したリッドのロック装置において、前記一対の係止部材に線状体部材を接続し、前記線状体部材を引っ張る回動手段を設けたことを特徴とする。
【０００６】
上述したようなリッドのロック装置構成は、収納体の構造をよりシンプルにし、製造コストを削減でき、更に様々な形状の収納体に応用できる。
【０００７】
請求項2に記載の収納体のロック装置は、請求項1に記載のリッドのロック装置において、前記線状体部材は前記線状体部材を保護してガイドするチューブの中に挿入されたことを特徴とする。
【０００８】
上述したようなリッドのロック装置構成は、線状体部材を保護し、さらにガイドする。
【０００９】
請求項3に記載の収納体のロック装置は、請求項1に記載のリッドのロック装置において、前記線状体部材の過度の必要以上の引っ張りと係止部材の出入を規制するストッパを設けたことを特徴とする。
【００１０】
上述したようなリッドのロック装置構成により、線状体部材を必要以上に引っ張りすることを規制し、また係止部材はがたつかない。
【００１１】
請求項4に記載のリッドのロック装置は、請求項1に記載のリッドのロック装置において、前記リッドが椀曲状に形成されることを特徴とする。
【００１２】
上記のようなリッドのロック装置のリッドが彎曲した状態であっても、線状体部材であるワイヤを用いているため、リッドのロック装置の開閉動作はスムーズにできる。
【００１３】
請求項5に記載のリッドのロック装置は、請求項1に記載のリッドのロック装置において、前記回動手段は前記操作ノブと、前記操作ノブと一体に連動する円盤台とを有することを特徴とする。
【００１４】
請求項6に記載のリッドのロック装置は、請求項1に記載の収納体のロック装置において、前記線状体部材は、可撓性金属のワイヤからなることを特徴とする。
【００１５】
上記のようなリッドのロック装置により、様々形状のリッドや収納体に応用できる。
【００１６】
請求項7に記載のリッドのロック装置は、請求項1に記載の収納体のロック装置において、保持部材が、前記リッドに固定され、前記保持部材は前記係止部材を安定して移動可能に保持することを特徴とする。
【００１７】
上記のようなリッドのロック装置により、係止部材が安定してロックされる。
【発明の効果】
【００１８】
本は発明に係るリッドのロック装置では、曲率等がきつい様々な形状の収納体のリッドには対応できる可撓性ワイヤ式構造を用い、収納体等の構造をよりシンプルにし、製造コストを削減できるという効果がある。
【００１９】
また、このリッドのロック装置において、係止部材(係止ピン)は保持部材で移動可能に保持され、係止部材の剛性を確保する。そのため、可撓性線状体部材を使用しても係止部材が安定してロックされる効果が得られる。
【発明を実施するための最良の形態】
【００２０】
以下、この発明によるリッドのロック装置の実施形態を図1〜6を参照して詳細に説明する。
【００２１】
図1は、車両のインストルメントパネルP(支持体)に設けられたグローブボックス3に本発明に係るリッドのロック装置を応用した一形態を部分的に示す。
【００２２】
図1に示すように、グローブボックス3は、車室Rの前部に設けられた樹脂製のインストルメントパネルPに形成された凹所1に、図示しない一対のヒンジを介して回動可能に枢支されている。グローブボックス3は、リッド5と該リッドに設けられた収納体(グローブボックス本体)4とを有する。リッド5は、グローブボックス3をインストルメンパネルP内に収容したときに凹所1に嵌合し、この凹所を閉塞する。リッド5の内側には、このリッド5に取付けられたロック装置収容ハウジングHに覆われたリッドのロック装置8が設けられている。
【００２３】
図2に示すように、このリッドのロック装置8は、リッド5が矩形状に開放されるリッド5裏側に設けられ、リッド5の外側から操作可能な操作ノブ7と、この操作ノブのリッド裏面に該ノブと一体に連動するように設けられた回動手段である円盤台20と、リッドの両端部に設けられた一対のロック機構10と、円盤台20及び各ロック機構10、10’を連結する一対の連結部材である線状体部材17とを有する。
【００２４】
この操作ノブ7は、中心軸22を介して円盤台20と一体に連動して回動するように設けられる。この中心軸22は、リッドを貫通して操作ノブと円盤台20の中心部20’に固定されている。このため、円盤台20は、この操作ノブ7の回動に連動して中心軸22を中心に回動する。この円盤台20の外縁部定位置には、線状体部材17の一端を接続させる各係止部21、21’が設けられている。
【００２５】
図3に示すように、一対のロック機構10は、リッド5の裏側に固定部材である各クランク14、14’を介してネジ15、15’で取付けられた中空円柱形状の左右一対シリンダ10aと、この各シリンダ部内に往復スライド可能に配置された左右一対ピストン部12、12’とを有する。シリンダ部10aは保持部材でもあり、後述する係止部材の剛性を確保し、回動手段と係止部材を連結する可撓性線状体部材を使用しても係止部材が安定してロックされるような構成されている。このシリンダ部10aには、圧縮バネ24、24’が設けられている。この各ピストン部28はこの圧縮バネ24、24’によりリッド5の両サイドに向けて付勢されている。この左右一対のピストン部12、12’の各一端には、係止部材である左右一対の係止ピン11、11’がリッド5近傍のグローブボックス本体の両側壁9、9’上部に形成された図示しない貫通孔を介して一体に形成されている。
【００２６】
図5に示すように、この係止ピン11、11’の先端部がピストン部12から突出し、開閉自由な傾斜面11aを有する。この傾斜面11 aは、グローブボックス3(図１を参照)をインストルメントパネルPに収容するときに、その凹所1に引っ掛かる事を防ぎ、この操作ノブ7を操作しなくとも自動的に係止孔23に入り、容易にこのグローブボックス3をロックするように構造とされている。
【００２７】
このピストン部12の所定位置には、ストッパ13、13’が設けられ、このストッパはピストン部12をシリンダ部10aに設けられた溝部26の長手方向に該ピストン部と一体に往復移動され、係止ピン11、11’の出入をガイドして規制する。
【００２８】
なお、線状体部材17は、可撓性金属製のワイヤ等からなるのが好ましい。これとは別に、耐摩耗製の繊維等の線状部材でもよい。線状体部材は、本発明の実施形態では、金属製のワイヤからなっている。この左右一対ワイヤの各一端が係止部21に接続され、その他端は、このピストン部12の圧縮バネ24に付勢された面に取付けられている。また、このストッパ13、13’は、このワイヤ17、17’の過度の必要以上に引っ張りを規制する。
【００２９】
この係止ピン11は、施錠された状態のとき、このストッパ13は側壁9方向側溝部26の一端に当接して位置され、それ以上の移動を規制する。その一方、この係止ピン11は、開錠された状態のとき、このストッパ13は圧縮バネ24が配置される方向溝部26の他端に当接して位置されように構成されている。
【００３０】
また、図4、図5に示すように、該左右一対ワイヤ17、17’がワイヤ17、17’を保護してガイドする左右一対のアウタチューブ16、16’の中に挿入される構成となっている。図3、図6に示すように、この各チューブ16、16’は、固定部材であるクランク18、18’と19、19’によりリッド5裏側にネジ28で固定される。
【００３１】
また、図5に示すように、この左右一対の係止ピン16、16’は、該左右一対圧縮バネ24、24’の付勢圧に抗して、インストルメントパネルPに設けられた左右一対の係止孔23、23’に係止され、グローブボックス3のリッド5が施錠した状態で維持される。
【００３２】
なお、図2に示すように、チューブ16、16’と円盤台20、20’及びシリンダ部10aは、グローブボックスのリッド5裏側に固定されたハウジング7にカバーされるように設けられている。
【００３３】
次に、上記リッドのロック装置の開閉動作を説明する。
【００３４】
図5に示すように、このグローブボックス3のリッド5がインストルメントパネルPに施錠されている場合、ロック機構10によるリッド5の係止を解除するために、この操作ノブ7を所定距離に回動させると、この操作ノブ7は中心軸22を中心として回動する。この操作ノブ7が回動されると、この回動円盤台20が操作ノブと一体に連動して回動される。これにより、この左右一対のワイヤ17、17’が夫々左右一対のワイヤチューブ16、16’から引き出されるように、この円盤台20に向け引っ張られる。
【００３５】
そのため、図6に示すように、この円盤台20が反時計回りに回動すると、ロック機構10のピストン部12は圧縮バネ24の付勢に抗して矢印27、27’方向に移動し、ピストン部12に設けられた係止ピン16がインストルメントパネルの係止孔18から開錠されて前記リッドがロック状態から解除される。
【００３６】
そこで、このリッド5をロックする場合、このリッド5を軽く押すと上記ロック状態の距離まで戻されている係止ピン11の傾斜面11aは、インストルメントパネルP凹所1に当接することで係止ピン11が一体に設けられるピストン部12を介して圧縮バネ24に抗して圧縮力を与えられる。
【００３７】
このため、ピストン部12はシリンダ部10a内を圧縮バネ24、24’の付勢に抗して移動するので、係止ピン11、11’の先端の傾斜面11’が収納体(グローブボックス本体)4の側壁9に形成された図示しない貫通孔に埋没し、グローブボックス3がインストルメントパネルP内に、完全に収容される位置に戻されると再び図示しない貫通孔を挿通して係止孔23に施錠される。
【００３８】
または、操作ノブ7を所定距離に回動させ、操作ノブに連動して円盤台20が回動されて該左右一対のワイヤ17、17’が引っ張られ、係止ピン11がリッド側面の図示しない貫通孔に隠れた状態になり、ノブ操作から手を離すと、圧縮バネ24、24’の付勢力により係止孔23の方向に付勢されて移動される係止ピン16が係止孔23に挿入されてリッドが施錠されロックした状態になる。
【００３９】
なお、本願発明において、引っ張り手段が線状体部材のワイヤ等を用いているため、前記リッドが図示しない彎曲状等の様々な形状にあった場合でも対応できる。
【００４０】
上記実施例では、リッド5にグローブボックス本体4(収納体)が一体に設けられてグローブボックス3を形成していたが、例えばグローブボックスの収納体をリッドとは別体にインストルメントパネルP内に形成し、リッドのみを回動可能に設けてもよく、上記した実施形態に限定されるものではない。
【００４１】
なお、ロック機構のシリンダ10aとピストン12は円形状に形成されているが、半円状とかにしてもよく、上記した実施形態に限定されるものではない。
【００４２】
また、上記実施形態は、車両用のインストルメントパネルPに設けられたグローブボックス3のリッドのロック装置を一例に示しましたが、様々収納体に用いればよく、上記実施形態に限定されるものではない。
【００４３】
また、回動手段である円盤台20にワイヤ17を係止する各係止部21、21’の位置を、時計と、逆時計方向にもできる構造にしてもよく、上記実施形態に限定されるものではない。
【００４４】
また、操作ノブ7は、回転式の他に、引っ張り式又はプッシュ式の操作ノブでも適用可能である構造にしてもよく、上記実施形態に限定されるものではない。
【００４５】
なお、この回動手段である円盤台20を本発明の実施形態に好ましい一形態として述べているが、例えば、円盤台の変わりに中心軸22に棒状体の中心を固定させ、この棒状体の両端にワイヤを接続する構成にしてもよい。
【図面の簡単な説明】
【００４６】
【図１】本発明の実施例に係るリッドのロック装置を備えたグローブボックスの一例を部分的に示す斜視図である。
【図２】本発明に係るリッドサイドロック装置要部斜視図である。
【図３】図２に示した引っ張り手段等の斜視図である。
【図４】ロック装置の平面図である。
【図５】ワイヤ、ストッパと係止ピンの関係を示すロック機構断面図である。
【図６】円盤台、ワイヤ、付勢バネ、係ピンの関係を示す一部断面した背面図である。
【符号の説明】
【００４７】
1  凹所
P  支持体（インストルメントパネル）
・  リッド
8  ロック装置
11、11’係止ピン(係止部材)
17、17’ワイヤ(線状体部材)
23、23’係止孔
20  回動手段(円盤台)
【図１】
2005188086.tif 000003
【図２】
2005188086.tif 000004
【図３】
2005188086.tif 000005
【図４】
2005188086.tif 000006
【図５】
2005188086.tif 000007
【図６】
2005188086.tif 000008